(57)【要約】      （修正有）【課題】少なくとも３組のボイスコイル線を備えるスピーカーボイスコイル構造を提供する。【解決手段】ボイスコイル管１０、第一ボイスコイル線２０、第二ボイスコイル線３０、第三ボイスコイル線４０により構成する。さらに、第一ボイスコイル線２０はボイスコイル管１０の外側にワインディングし、第一端子２１及び第二端子２２を備え、第二ボイスコイル線３０は第一ボイスコイル線２０の外側にワインディングし、第三端子３１及び第四端子３２を備え、第三ボイスコイル線４０は第二ボイスコイル線３０の外側にワインディングし、第五端子４１及び第六端子４２を備える。また、ボイスコイル多数組の各端子間の間隔は等しく配置される。【選択図】図５
0003168332.tif 000002
【実用新案登録請求の範囲】
【請求項１】
スピーカーボイスコイル構造において、ボイスコイル管、第一ボイスコイル線、第二ボイスコイル線、第三ボイスコイル線からなり、
該第一ボイスコイル線は、該ボイスコイル管の外側にワインディングし、第一端子及び第二端子を備え、
該第二ボイスコイル線は、該第一ボイスコイル線の外側にワインディングし、第三端子及び第四端子を備え、
該第三ボイスコイル線は、該第二ボイスコイル線の外側にワインディングし、第五端子及び第六端子を備え、
かつ、該第一端子、該第二端子、該第三端子、該第四端子、該第五端子、該第六端子の間の角度は、おおよそ等しく配置されたことを特徴とするスピーカーボイスコイル構造。
【請求項２】
前記第一ボイスコイル線、該第二ボイスコイル線、該第三ボイスコイル線は、それぞれ２〜４層にワインディングし、
且つ、該第一端子、該第二端子、該第三端子、該第四端子、該第五端子、該第六端子間の角度は、６０°であることを特徴とする請求項１に記載のスピーカーボイスコイル構造。
【請求項３】
前記第一ボイスコイル線の第一端子と第二端子間、該第二ボイスコイル線の第三端子と第四端子間、該第三ボイスコイル線の第五端子と第六端子間には、それぞれ相同或いは異なるインピーダンスを備え、
該第一ボイスコイル線の第一端子と第二端子間、該第二ボイスコイル線の第三端子と第四端子間、該第三ボイスコイル線の第五端子と第六端子間のインピーダンスは、２〜４Ωであることを特徴とする請求項２に記載のスピーカーボイスコイル構造。
【請求項４】
前記スピーカーボイスコイル構造はさらに、印刷回路板、第一接続部品、第二接続部品を備え、
該印刷回路板は一端に、第一端子台、第二端子台、第三端子台、第四端子台、第五端子台及び第六端子台を備え、
該第一端子台は、該第二端子に接続し、
該第二端子台は、該第一端子に接続し、
該第三端子台は、該第二端子に接続し、
該第四端子台は、該第三端子に接続し、
該第五端子台は、該第二端子に接続し、
該第六端子台は、該第五端子に接続し、
これにより該第一端子台及び該第二端子台間は、２〜４Ωのインピーダンスを出力し、
該第一接続部品は、該印刷回路板上に設置し、かつ、該第一端子を、第四端子に接続し、これにより該第三端子台及び該第四端子台間は、4或いは８Ωのインピーダンスを出力し、
該第二接続部品は、該印刷回路板上に設置し、かつ、該第三端子を第六端子に接続し、
これにより、該第五端子台及び該第六端子台間は、６〜１２Ωのインピーダンスを出力することを特徴とする請求項３に記載のスピーカーボイスコイル構造。
【請求項５】
スピーカーボイスコイル構造は、ボイスコイル管、第一ボイスコイル線、第二ボイスコイル線、第三ボイスコイル線からなり、
該第一ボイスコイル線は、該ボイスコイル管の外側にワインディングし、第一端子及び第二端子を備え、
該第二ボイスコイル線は、該第一ボイスコイル線の外側にワインディングし、第三端子及び第四端子を備え、
かつ、該第三端子及び第四端子と該第一端子及び第二端子間には、第一角度を設け、
該第三ボイスコイル線は、該第二ボイスコイル線の外側にワインディングし、第五端子及び第六端子を備え、
かつ、該第五端子及び第六端子は、該第三端子及び第四端子との間には、第二角度を設けたことを特徴とするスピーカーボイスコイル構造。
【請求項６】
前記第一ボイスコイル線、該第二ボイスコイル線、該第三ボイスコイル線は、それぞれ２〜４層にワインディングし、
しかも、該第一角度及び第二角度は、それぞれ１２０°であることを特徴とする請求項５に記載のスピーカーボイスコイル構造。
【請求項７】
前記第一ボイスコイル線の第一端子と第二端子間、該第二ボイスコイル線の第三端子と第四端子間、該第三ボイスコイル線の第五端子と第六端子間には、それぞれ等しい、或いは異なるインピーダンスを備え、
該第一ボイスコイル線の第一端子と第二端子間、該第二ボイスコイル線の第三端子と第四端子間、該第三ボイスコイル線の第五端子と第六端子間のインピーダンスは、２〜４Ωであることを特徴とする請求項６に記載のスピーカーボイスコイル構造。
【請求項８】
前記スピーカーボイスコイル構造はさらに、印刷回路板、第一接続部品、第二接続部品を備え、
該印刷回路板は一端に、第一端子台、第二端子台、第三端子台、第四端子台、第五端子台、第六端子台を備え、
該第一端子台は、該第二端子に接続し、該第二端子台は、該第一端子に接続し、該第三端子台は、該第二端子に接続し、該第四端子台は、該第三端子に接続し、該第五端子台は、該第二端子に接続し、該第六端子台は、該第五端子に接続し、
これにより、該第一端子台及び該第二端子台間は、２〜４Ωのインピーダンスを出力し、
該第一接続部品は、該印刷回路板上に設置し、かつ、該第一端子を、第四端子に接続し、これにより該第三端子台及び該第四端子台間は、４〜８Ωのインピーダンスを出力し、
該第二接続部品は、該印刷回路板上に設置し、かつ、該第三端子を、第六端子に接続し、これにより、該第五端子台及び該第六端子台間は、６〜１２Ωのインピーダンスを出力することを特徴とする請求項７に記載のスピーカーボイスコイル構造。
【考案の詳細な説明】
【技術分野】
【０００１】
本考案は、スピーカーのボイスコイル構造に関し、特に、少なくとも３組のボイスコイル線を備えるスピーカーボイスコイル構造に関する。
【背景技術】
【０００２】
周知のように、スピーカー(speaker)は、一種のエネルギーコンバータである。
それは、電気エネルギーを、音声エネルギーに変える。
電動式スピーカーの作動原理は、アンプ(AMP)が出力する音声信号を、スピーカーへと伝え、スピーカーを通過した電気信号がボイスコイル（Voice coil、VCLと略称）に至る電流として、電流は磁気回路と駆動して磁力線を遮断し、コーンを押して音声を発する、というものである。
【０００３】
テクノロジーの進歩と絶え間ない発展に従い、電動式スピーカーは今や広く普及しており、公衆案内放送(Public Address、PAと略称)の音声機器に用いられるスピーカー、家庭用娯楽機器(home BOX等)に用いられるマルチメディアスピーカー等、さまざまな場所でしばしば目にすることができる。
一方、最近流行しているノート型コンピューター(N/B)用スピーカー或いは移動式(Moving)ハンドセットスピーカー等は、ボイスコイル入力端とコイル層数の構造において、比較的伝統的である。
それは主に、信号入力方式とワインディングにおいて、イノベーションがなされていないからである。
【０００４】
図１、図２は、従来のボイスコイル線を備えるボイスコイル構造の側面及び上側模式図である。
図に示すように、一般的な従来のボイスコイル構造100は、ボイスコイル管110及びボイスコイル線120を備える。
該ボイスコイル線120は、該ボイスコイル管110の外側にワインディングされ、第一端子121及び第二端子122を備える。
該ボイスコイル線120は、必要に応じて、該ボイスコイル管110外側に、2層或いは4層にワインディングする。
しかし、該従来のボイスコイル構造100は、わずかに１組の信号入力を備えるだけであるため、１組の単一インピーダンスしか選択することができない。
【０００５】
図３、４は、別種の従来の２個のボイスコイル線を備えるボイスコイル構造の側面及び上側模式図である。
図に示すように、別種の従来のボイスコイル構造200は、ボイスコイル管210、第一ボイスコイル線220及び第二ボイスコイル線230を備える。
該第一ボイスコイル線220は、該ボイスコイル管210の外側にワインディングし、第一端子221及び第二端子222を備える。
該第二ボイスコイル線230は、該第一ボイスコイル線220の外側にワインディングし、第三端子231及び第四端子232を備える。
該第一ボイスコイル線220及び該第二ボイスコイル線230は、必要に応じて、該ボイスコイル管210外側に、2層或いは4層にワインディングすることができる。
【０００６】
しかし、これらの従来のボイスコイル構造200は、２組の信号入力を備えるが、もしワインディングが4層を超えると、空間不足により、脱線の危険がある。
この他、従来のボイスコイル構造200の第一端子221及び第二端子222、第三端子231及び第四端子232間の出力インピーダンスは固定で、必要に応じて調整することができず、理想的ではない。
本考案は、従来のスピーカーボイスコイル構造の上記した欠点に鑑みてなされたものである。
【先行技術文献】
【特許文献】
【０００７】
【特許文献１】特開昭６２−７６８９８号公報
【考案の概要】
【考案が解決しようとする課題】
【０００８】
本考案が解決しようとする第一の課題は、少なくとも３組のボイスコイル線を、ボイスコイル管上に層を重ねてワインディングし、これにより多数組の信号入力の目的を達成するスピーカーボイスコイル構造を提供することである。
本考案が解決しようとする第二の課題は、少なくとも３組のボイスコイル線を、ボイスコイル管上に層を重ねてワインディングし、多層出線方式の目的を達成するスピーカーボイスコイル構造を提供することである。
本考案が解決しようとする第三の課題は、少なくとも３組のボイスコイル線を、ボイスコイル管上に層を重ねてワインディングし、多種のインピーダンスを出力する目的を達成するスピーカーボイスコイル構造を提供することである。
本考案が解決しようとする第四の課題は、脱線状況の発生を防止でき、しかも線径が同等であれば、ワインディング層回数の空間を大きく低減できるスピーカーボイスコイル構造を提供することである。
【課題を解決するための手段】
【０００９】
上記課題を解決するため、本考案は下記のスピーカーボイスコイル構造を提供する。
本考案のスピーカーボイスコイル構造は、ボイスコイル管、第一ボイスコイル線、第二ボイスコイル線、第三ボイスコイル線からなり、
該第一ボイスコイル線は、該ボイスコイル管の外側にワインディングし、第一端子及び第二端子を備え、
該第二ボイスコイル線は、該第一ボイスコイル線の外側にワインディングし、第三端子及び第四端子を備え、
該第三ボイスコイル線は、該第二ボイスコイル線の外側にワインディングし、第五端子及び第六端子を備え、
しかも、該第一端子、該第二端子、該第三端子、該第四端子、該第五端子、該第六端子の間の角度は、おおよそ相同で、
本考案のスピーカーボイスコイル構造は、ボイスコイル管、第一ボイスコイル線、第二ボイスコイル線、第三ボイスコイル線からなり、
該第一ボイスコイル線は、該ボイスコイル管の外側にワインディングし、第一端子及び第二端子を備え、
該第二ボイスコイル線は、該第一ボイスコイル線の外側にワインディングし、第三端子及び第四端子を備え、
しかも、該第三端子及び第四端子は、該第一端子及び第二端子との間に、第一角度を備え、
該第三ボイスコイル線は、該第二ボイスコイル線の外側にワインディングし、第五端子及び第六端子を備え、
しかも、該第五端子及び第六端子は、該第三端子及び第四端子との間に、第二角度を備える。
【考案の効果】
【００１０】
本考案のスピーカーボイスコイル構造は、多数組の信号入力が可能で、多層の出線方式を採用し、多種のインピーダンスを出力でき、そのボイスコイル線は、脱線状況の発生を防止でき、しかも線径が同等であれば、ワインディング層回数の空間を大きく低減できる。よって、従来のスピーカーボイスコイル構造に比べ、進歩性を備え、しかも従来のスピーカーボイスコイル構造の欠点を改善することができる。
【図面の簡単な説明】
【００１１】
【図１】従来のボイスコイル線を備えるボイスコイル構造の側面模式図である。
【図２】従来のボイスコイル線を備えるボイスコイル構造の上側模式図である。
【図３】別種の従来の２個のボイスコイル線を備えるボイスコイル構造の側面模式図である。
【図４】別種の従来の２個のボイスコイル線を備えるボイスコイル構造の上側模式図である。
【図５】本考案第一実施例のスピーカーボイスコイル構造の側面模式図である。
【図６】本考案第一実施例のスピーカーボイスコイル構造の上側示図である。
【図７】本考案第一実施例のスピーカーボイスコイル構造において、印刷回路板及び２個の接続部品を備える様子を示す模式図である。
【図８】本考案第二実施例のスピーカーボイスコイル構造の模式図である。
【考案を実施するための形態】
【００１２】
以下に図面を参照しながら本考案を実施するための最良の形態について詳細に説明する。
【実施例】
【００１３】
図５、６は、本考案第一実施例のスピーカーボイスコイル構造の側面及び上側模式図である。
【００１４】
図に示すように、本考案のスピーカーボイスコイル構造は、ボイスコイル管10、第一ボイスコイル線20、第二ボイスコイル線30、及び第三ボイスコイル線40からなる。
【００１５】
該ボイスコイル管10には、該第一ボイスコイル線20、該第二ボイスコイル線30及び該第三ボイスコイル線40をワインディングするが、これは一般的な技術で、しかも本考案の重点ではないため、これ以上の記述は行わない。
【００１６】
該第一ボイスコイル線20は、一般の銅線で、その線径は、必要に応じて変えて、該ボイスコイル管10の外側にワインディングし、多層に巻く。例えば、２〜４層であるが、これに限定するものではない。
【００１７】
該第一ボイスコイル線20は、第一端子21及び第二端子22を備え、かつ、該第一端子21と該第二端子22との間には、約60°の角度を備える。
【００１８】
該第二ボイスコイル線30もまた一般の銅線で、その線径もまた、必要に応じて変えることができ、該第一ボイスコイル線20の外側にワインディングし、多層に巻くことができ、例えば、２〜４層であるが、これに限定するものではない。
【００１９】
該第二ボイスコイル線30は、第三端子31及び第四端子32を備え、かつ、該第三端子31と該第四端子32との間にも、約60°の角度を備える。
【００２０】
該第三ボイスコイル線40もまた一般の銅線で、その線径もまた、必要に応じて変えることができ、該第二ボイスコイル線30の外側にワインディングし、多層に巻くことができ、例えば、２〜４層であるが、これに限定するものではない。
【００２１】
該第三ボイスコイル線40は、第五端子41及び第六端子42を備え、しかも該第五端子41と該第六端子42との間にも、約60°の角度を備える。
【００２２】
このような配置により、図６に示すように、該第一端子21、該第二端子22、該第三端子31、該第四端子32、該第五端子41及び該第六端子42の間には、等距離を置いて配置され、かつ、重ならない。
【００２３】
この他、該第一ボイスコイル線20の第一端子21と第二端子22間、該第二ボイスコイル線30の第三端子31と第四端子32間、及び該第三ボイスコイル線40の第五端子41と第六端子42間は、それぞれ同等の、或いは異なるインピーダンスを備え、それは例えば、２或いは４Ωであるが、これに限定するものではない。
【００２４】
本実施例中では、インピーダンスは同等であって、かつ、２Ωを例として説明するが、これに限定するものではない。
【００２５】
こうして、本考案のスピーカーボイスコイル構造の第一ボイスコイル線20、第二ボイスコイル線30及び第三ボイスコイル線40は、脱線状況の発生を防止でき、しかも線径が同等であれば、ワインディング層回数の空間を大きく低減できる。
【００２６】
図７は、本考案第一実施例のスピーカーボイスコイル構造において、印刷回路板及び２個の接続部品を備える様子を示す模式図である。
【００２７】
図に示すように、本考案のスピーカーボイスコイル構造はさらに、印刷回路板51、第一接続部品52、第二接続部品53を備える。
【００２８】
該印刷回路板51の一端には、第一端子台511、第二端子台512、第三端子台513、第四端子台514、第五端子台515及び第六端子台516を備える。
【００２９】
該第一端子台511は、該第二端子22に接続し、該第二端子台512は、該第一端子21に接続し、該第三端子台513は、該第二端子22に接続し、該第四端子台514は、該第三端子31に接続し、該第五端子台515は、該第二端子22に接続し、及び該第六端子台516は、該第五端子41に接続する。
【００３０】
これにより、該第一端子台511及び該第二端子台512間は、２Ωのインピーダンスを出力する。
【００３１】
該第一接続部品52は、該印刷回路板51上に設置し、しかも該第一端子21を、第四端子32に接続し、こうして該第一ボイスコイル線20と該第二ボイスコイル線30とは、直列接続関係を呈する。
【００３２】
これにより、該第三端子台513及び該第四端子台514間は、４Ωのインピーダンスを出力する。
【００３３】
該第二接続部品53は、該印刷回路板上に設置し、しかも該第三端子を第六端子に接続し、こうして該第一ボイスコイル線20、該第二ボイスコイル線30及び該第三ボイスコイル線40は、直列接続関係を呈する。
【００３４】
これにより、該第五端子台515及び該第六端子台516間は、６Ωのインピーダンスを出力する。
【００３５】
よって、本考案のスピーカーボイスコイル構造により、使用者はアンプの必要に応じて、隨時インピーダンスを変えることができる。
【００３６】
例えば、アンプの出力インピーダンスが２Ωである時、使用者はアンプの出力端子を、導線(以上すべて図示なし)により、第一端子台511及び第二端子台512に接続し、こうして両者間のインピーダンスを相互に一致させ、最良の出力伝送を達成することができる。
【００３７】
或いは、アンプの出力インピーダンスが４Ωである時、使用者はアンプの出力端子を、導線(以上すべて図示なし)により、第三端子台513及び第四端子台514の４Ωの出力に接続する。
【００３８】
アンプの出力インピーダンスが６Ωである時、使用者はアンプの出力端子を、導線(以上すべて図示なし)により、第五端子台515及び第六端子台516の６Ωの出力に接続し、こうして両者間のインピーダンスを相互に一致させ、最良の出力伝送を達成することができる。
【００３９】
よって、本考案のスピーカーボイスコイル構造は、以下の長所を確かに備える。
1. 多数組の信号入力が可能。
2. 多層の出線方式を採用。
3. 多種のインピーダンスを出力。
4. そのボイスコイル線は、脱線状況の発生を防止でき、しかも線径が同等であれば、ワインディング層回数の占める空間を大きく低減できる。
すなわち、従来のスピーカーボイスコイル構造に比べ、進歩性を備え、しかも従来のスピーカーボイスコイル構造の欠点を改善することができる。
【００４０】
図８は、本考案第二実施例のスピーカーボイスコイル構造の模式図である。
【００４１】
図に示すように、本考案第二実施例のスピーカーボイスコイル構造において、第一ボイスコイル線20の第一端子21及び第二端子22は、向かい合って配置し、第一実施例中のような60°の角度を呈する配置ではない。
【００４２】
第二ボイスコイル線30の第三端子31及び第四端子32もまた、向かい合って配置し、しかも該第三端子31及び第四端子32は、該第一端子21及び第二端子22との間には、第一角度を備え、例えば、120°であるが、これに限定するものではない。
【００４３】
第三ボイスコイル線40の第五端子41及び第六端子42もまた、向かい合って配置し、しかも該第五端子41及び第六端子42と該第三端子31及び第四端子32との間には、第二角度を備え、例えば、120°であるが、これに限定するものではない。
【００４４】
このような配置により、該該第一端子21、該第二端子22、該第三端子31、該第四端子32、該第五端子41及び該第六端子42間は、等距離を開けて配置し、かつ、重ならない。
【００４５】
よって、本考案のスピーカーボイスコイル構造の実施により、以下の長所が達成される。
1．多数組の信号入力が可能。
2．多層の出線方式を採用。
3．多種のインピーダンスを出力。
4．そのボイスコイル線は、脱線状況の発生を防止でき、しかも線径が同等であれば、ワインディング層回数の空間を大きく節約できる。
すなわち、従来のスピーカーボイスコイル構造に比べ、進歩性を備え、しかも従来のスピーカーボイスコイル構造の欠点を改善することができる。
【００４６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００４７】
本考案は実用新案登録の要件である新規性を備え、従来の同類製品に比べ十分な進歩性を有し、実用性が高く、社会のニーズに合致しており、産業上の利用価値は非常に大きい。
【符号の説明】
【００４８】
10  ボイスコイル管
20  第一ボイスコイル線
21  第一端子
22  第二端子
30  第二ボイスコイル線
31  第三端子
32  第四端子
40  第三ボイスコイル線
41  第五端子
42  第六端子
51  印刷回路板
511  第一端子台
512  第二端子台
513  第三端子台
514  第四端子台
515  第五端子台
516  第六端子台
52  第一接続部品
53  第二接続部品
100  ボイスコイル構造
110  ボイスコイル管
120  ボイスコイル線
121  第一端子
122      
第二端子
200  ボイスコイル構造
210  ボイスコイル管
220  第一ボイスコイル線
221  第一端子
222  第二端子
230  第二ボイスコイル線
231  第三端子
232      
第四端子
【図１】
0003168332.tif 000003
【図２】
0003168332.tif 000004
【図３】
0003168332.tif 000005
【図４】
0003168332.tif 000006
【図５】
0003168332.tif 000007
【図６】
0003168332.tif 000008
【図７】
0003168332.tif 000009
【図８】
0003168332.tif 000010